(57)【要約】【課題】ハイピクセルをより精密に修理することができる表示装置のピクセル修理装置を提供する。【解決手段】フェムト秒レーザービームを生成するレーザー発生器と、前記フェムト秒レーザービームの強度を均一にする均質機と、前記フェムト秒レーザービームを集束させ、その焦点レベルを表示パネルアセンブリの、画面全体を黒くして画素の不良の有無を確認する時、液晶層に異物が存在したり、配線の断線または短絡などによって、不良部分が明るく光るいわゆるハイピクセル（ｈｉｇｈ  ｐｉｘｅｌ）現象の発生位置に合わせる集束器とを有する。【選択図】      図１
2007241274.tif 000002
【特許請求の範囲】
【請求項１】
フェムト秒レーザービームを生成するレーザー発生器と、
前記フェムト秒レーザービームの強度を均一にする均質器と、
前記フェムト秒レーザービームを集束させ、その焦点レベルを表示パネルアセンブリの、画面全体を黒くして画素の不良の有無を確認する時、液晶層に異物が存在したり、配線の断線または短絡などによって、不良部分が明るく光るいわゆるハイピクセル（ｈｉｇｈ  ｐｉｘｅｌ）現象の発生位置に合わせる集束器とを有することを特徴とする表示装置のピクセル修理装置。
【請求項２】
前記均質器は、前記レーザー発生器から発生した前記フェムト秒レーザービームの複数のビームレイを互いに一定の間隔で密集させる第１非球面レンズと、
前記第１非球面レンズを通過した前記複数のビームレイが互いに一定の間隔で密集した地点に備えられ、前記複数のビームレイを一定の間隔で透過させる第２非球面レンズとを含むことを特徴とする請求項１に記載の表示装置のピクセル修理装置。
【請求項３】
前記均質器と前記集束器との間に位置し、前記強度が均一になったフェムト秒レーザービームの大きさを調節する大きさ調節器をさらに有することを特徴とする請求項１に記載の表示装置のピクセル修理装置。
【請求項４】
前記大きさ調節器と前記集束器との間に位置し、大きさが調節された前記フェムト秒レーザービームを設定距離の間その大きさを維持させる維持器をさらに有することを特徴とする請求項３に記載の表示装置のピクセル修理装置。
【請求項５】
前記均質器と前記大きさ調節器との間に位置し、前記フェムト秒レーザービームを遮断するかまたは通過させるシャッターをさらに有することを特徴とする請求項４に記載の表示装置のピクセル修理装置。
【請求項６】
前記表示パネルアセンブリは、その内面に複数のカラーフィルタのピクセルが配列されたカラーフィルタ表示パネルであり、
前記集束器は、前記フェムト秒レーザービームの焦点レベルを前記カラーフィルタ表示パネルのうちの前記複数のピクセルに位置させることを特徴とする請求項１に記載の表示装置のピクセル修理装置。
【請求項７】
前記表示パネルアセンブリは、その間に液晶層を備えるカラーフィルタ表示パネル及び薄膜トランジスタ表示パネルからなり、
前記集束器は、前記フェムト秒レーザービームの焦点レベルを前記カラーフィルタ表示パネルのうちのカラーフィルタのピクセル中前記ハイピクセル現象の発生ピクセルに位置させることを特徴とする請求項１に記載の表示装置のピクセル修理装置。
【請求項８】
前記表示パネルアセンブリは、その間に液晶層を備えるカラーフィルタ表示パネル及び薄膜トランジスタ表示パネルと、前記カラーフィルタ表示パネルの外面に付着される偏光板とを含み、
前記集束器は、前記フェムト秒レーザービームの焦点レベルを前記カラーフィルタ表示パネルのうちの前記ハイピクセル現象の発生ピクセルに位置させることを特徴とする請求項１に記載の表示装置のピクセル修理装置。
【請求項９】
前記表示パネルアセンブリの前記ハイピクセル現象を観察するモニタリングユニットをさらに有することを特徴とする請求項１に記載の表示装置のピクセル修理装置。
【請求項１０】
前記モニタリングユニットは、前記均質器と前記集束器との間に位置するミラー部と、
前記ミラー部を通じて前記表示パネルアセンブリのハイピクセル現象発生部位のイメージを撮影する撮影機と、
前記フェムト秒レーザービームの焦点に前記ハイピクセル現象発生部位のイメージを一致させるために前記撮影機の焦点を微細調節する零点調整器とを含むことを特徴とする請求項９に記載の表示装置のピクセル修理装置。
【請求項１１】
前記モニタリングユニットは前記ミラー部に光を照射する光源をさらに含み、
前記ミラー部は、前記均質器と前記集束器との間に位置する第１半反射ミラーと、前記均質器と前記第１半反射ミラーとの間に位置する第２半反射ミラーとを含み、
前記光源は、前記第１半反射ミラーを通じて前記表示パネルアセンブリに光を照射し、
前記撮影機は、前記表示パネルアセンブリから反射された光を第２半反射ミラーを通じて伝達され受けることを特徴とする請求項１０に記載の表示装置のピクセル修理装置。
【請求項１２】
前記零点調整器は、前記光が通過できる第３鏡筒と、
前記第３鏡筒内にスライド可能に備えられる少なくとも一つの第３レンズと、
前記第３レンズを上下移動させるレバーとを含むことを特徴とする請求項１１に記載の表示装置のピクセル修理装置。
【請求項１３】
前記モニタリングユニットは、前記第２半反射ミラーと前記撮影機との間に位置し、前記撮影機と電気的に接続され、前記ハイピクセル現象発生位置を予め検出して、前記撮影機の焦点が前記ハイピクセル現象発生位置の近くに予め位置するように前記撮影機にその検出値を伝達する自動フォーカシングセンサをさらに含むことを特徴とする請求項１２に記載の表示装置のピクセル修理装置。
【請求項１４】
表示パネルアセンブリの、画面全体を黒くして画素の不良の有無を確認する時、液晶層に異物が存在したり、配線の断線または短絡などによって、不良部分が明るく光るいわゆるハイピクセル（ｈｉｇｈ  ｐｉｘｅｌ）現象の発生位置に向かってフェムト秒レーザービームを照射するためのレーザーユニットと、
前記ハイピクセル現象の発生部位を観察するモニタリングユニットとを有し、
前記モニタリングユニットは、前記レーザーユニットの前記フェムト秒レーザービームの進行経路上に位置するミラー部と、
前記ミラー部を通じて前記表示パネルアセンブリのハイピクセル現象の発生部位のイメージを撮影する撮影機と、
前記フェムト秒レーザービームの焦点に前記ハイピクセル現象の発生部位のイメージを一致させるために前記撮影機の焦点を微細調節する零点調整器とを含むことを特徴とする表示装置のピクセル修理装置。
【請求項１５】
前記モニタリングユニットは、前記ミラー部に光を照射する光源をさらに含み、
前記ミラー部は、前記光源から光の入射を受けて前記表示パネルアセンブリに向かって光を反射させる第１半反射ミラーと、
前記表示パネルアセンブリから反射された光の入射を受けて前記撮影機に光を反射させる第２半反射ミラーとを含むことを特徴とする請求項１４に記載の表示装置のピクセル修理装置。
【請求項１６】
前記零点調整器は、前記光が通過できる鏡筒と、
前記鏡筒内にスライド可能に備えられる少なくとも一つのレンズと、
前記レンズを上下移動させるレバーとを含むことを特徴とする請求項１５に記載の表示装置のピクセル修理装置。
【請求項１７】
前記モニタリングユニットは、前記第２半反射ミラーと前記撮影機との間に位置し、前記撮影機と電気的に接続され、前記ハイピクセル現象の発生位置を予め検出して、前記撮影機の焦点が前記ハイピクセル現象の発生位置の近くに予め位置するように前記撮影機にその検出値を伝達する自動フォーカシングセンサをさらに含むことを特徴とする請求項１６に記載の表示装置のピクセル修理装置。
【発明の詳細な説明】
【技術分野】
【０００１】
本発明は表示装置に関し、より詳しくは表示装置のピクセル修理装置に関する。
【背景技術】
【０００２】
一般に、平板表示装置は、液晶表示装置（ＬＣＤ、ｌｉｑｕｉｄ  ｃｒｙｓｔａｌ  ｄｉｓ  ｐｌａｙ）と有機発光ダイオード（ＯＬＥＤ、ｏｒｇａｎｉｃ  ｌｉｇｈｔ  ｅｍｉｔｔｉｎｇ  ｄｉｏｄｅ）表示装置などいろいろな種類がある。
例えば、液晶表示装置は、共通電極とカラーフィルタ（ｃｏｌｏｒ  ｆｉｌｔｅｒ）などが形成されている第１表示パネルと、画素電極と薄膜トランジスタなどが形成されている第２表示パネルとの間に液晶物質を注入し、共通電極と画素電極に互いに異なる電位を印加することにより電界を形成して液晶分子の配列を変更させ、これを通じて光の透過率を調節することによって画像を表現する装置である。
【０００３】
このような液晶表示装置は、画面全体を黒くして画素の不良の有無を確認する時、液晶層に異物が存在したり、配線の断線または短絡などによって、不良部分が明るく光る、いわゆるハイピクセル（ｈｉｇｈ  ｐｉｘｅｌ）現象が現れることがある。
このようなハイピクセル現象は、液晶表示装置だけでなく大部分の表示装置で現れうる。
【０００４】
したがって、このようなハイピクセル現象を防止するために、ハイピクセルを修理する研究が持続的に行われているという問題がある。
【発明の開示】
【発明が解決しようとする課題】
【０００５】
そこで、本発明は上記従来の表示装置における問題点に鑑みてなされたものであって、本発明の目的は、ハイピクセル現象をより精密に修理することができる表示装置のピクセル修理装置を提供することにある。
【課題を解決するための手段】
【０００６】
上記目的を達成するためになされた本発明による表示装置のピクセル修理装置は、フェムト秒レーザービームを生成するレーザー発生器と、前記フェムト秒レーザービームの強度を均一にする均質器と、前記フェムト秒レーザービームを集束させ、その焦点レベルを表示パネルアセンブリの、画面全体を黒くして画素の不良の有無を確認する時、液晶層に異物が存在したり、配線の断線または短絡などによって、不良部分が明るく光るいわゆるハイピクセル（ｈｉｇｈ  ｐｉｘｅｌ）現象の発生位置に合わせる集束器とを有することを特徴とする。
【０００７】
前記均質機は、前記レーザー発生器から発生した前記フェムト秒レーザービームの複数のビームレイを互いに一定の間隔で密集させる第１非球面レンズと、前記第１非球面レンズを通過した前記複数のビームレイが互いに一定の間隔で密集した地点に備えられ、前記複数のビームレイを一定の間隔で透過させる第２非球面レンズとを含むことが好ましい。
前記均質器と前記集束器との間に位置し、前記強度が均一になったフェムト秒レーザービームの大きさを調節する大きさ調節器をさらに有することが好ましい。
前記大きさ調節器と前記集束器との間に位置し、大きさが調節された前記フェムト秒レーザービームを設定距離の間その大きさを維持させる維持器をさらに有することが好ましい。
前記均質機と前記大きさ調節器との間に位置し、前記フェムト秒レーザービームを遮断するかまたは通過させるシャッターをさらに有することが好ましい。
【０００８】
前記表示パネルアセンブリは、その内面に複数のピクセルが配列されたカラーフィルタ表示パネルであり、前記集束器は、前記フェムト秒レーザービームの焦点レベルを前記カラーフィルタ表示パネルのうちの前記複数のピクセルに位置させることが好ましい。
前記表示パネルアセンブリは、その間に液晶層を備えるカラーフィルタ表示パネル及び薄膜トランジスタ表示パネルからなり、前記集束器は、前記フェムト秒レーザービームの焦点レベルを前記カラーフィルタ表示パネルのうちの前記ハイピクセル現象発生位置に位置させることが好ましい。
前記表示パネルアセンブリは、その間に液晶層を備えるカラーフィルタ表示パネル及び薄膜トランジスタ表示パネルと、前記カラーフィルタ表示パネルの外面に付着される偏光板とを含み、前記集束器は、前記フェムト秒レーザービームの焦点レベルを前記カラーフィルタ表示パネルのうちの前記ハイピクセル現象発生位置に位置させることが好ましい。
前記表示パネルアセンブリは、その間に液晶層を備えるカラーフィルタ表示パネル及び薄膜トランジスタ表示パネルと、前記カラーフィルタ表示パネルの外面に付着される偏光板とを含み、前記集束器は、前記フェムト秒レーザービームの焦点レベルを前記カラーフィルタ表示パネルのうちの前記ハイピクセル現象発生位置に位置させることが好ましい。
【０００９】
前記表示パネルアセンブリの前記ハイピクセル現象を観察するモニタリングユニットをさらに有することが好ましい。
前記モニタリングユニットは、前記均質器と前記集束器との間に位置するミラー部と、前記ミラー部を通じて前記表示パネルアセンブリのハイピクセル現象発生部位のイメージを撮影する撮影機と、前記フェムト秒レーザービームの焦点に前記ハイピクセル現象発生部位のイメージを一致させるために前記撮影機の焦点を微細調節する零点調整器とを含むことが好ましい。
前記モニタリングユニットは前記ミラー部に光を照射する光源をさらに含み、前記ミラー部は、前記均質器と前記集束器との間に位置する第１半反射ミラーと、前記均質器と前記第１半反射ミラーとの間に位置する第２半反射ミラーとを含み、前記光源は、前記第１半反射ミラーを通じて前記表示パネルアセンブリに光を照射し、前記撮影機は、前記表示パネルアセンブリから反射された光を第２半反射ミラーを通じて伝達され受けることが好ましい。
前記零点調整器は、前記光が通過できる第３鏡筒と、前記第３鏡筒内にスライド可能に備えられる少なくとも一つの第３レンズと、前記第３レンズを上下移動させるレバーとを含むことが好ましい。
前記モニタリングユニットは、前記第２半反射ミラーと前記撮影機との間に位置し、前記撮影機と電気的に接続され、前記ハイピクセル現象発生位置を予め検出して、前記撮影機の焦点が前記ハイピクセル現象発生位置の近くに予め位置するように前記撮影機にその検出値を伝達する自動フォーカシングセンサをさらに含むことが好ましい。
【００１０】
また、上記目的を達成するためになされた本発明による表示装置のピクセル修理装置は、表示パネルアセンブリの、画面全体を黒くして画素の不良の有無を確認する時、液晶層に異物が存在したり、配線の断線または短絡などによって、不良部分が明るく光るいわゆるハイピクセル（ｈｉｇｈ  ｐｉｘｅｌ）現象の発生位置に向かってフェムト秒レーザービームを照射するためのレーザーユニットと、前記ハイピクセル現象の発生部位を観察するモニタリングユニットとを有し、前記モニタリングユニットは、前記レーザーユニットの前記フェムト秒レーザービームの進行経路上に位置するミラー部と、前記ミラー部を通じて前記表示パネルアセンブリのハイピクセル現象の発生部位のイメージを撮影する撮影機と、前記フェムト秒レーザービームの焦点に前記ハイピクセル現象の発生部位のイメージを一致させるために前記撮影機の焦点を微細調節する零点調整器とを含むことを特徴とする。
【発明の効果】
【００１１】
本発明に係る表示装置のピクセル修理装置によれば、フェムト秒レーザービームを使用し、その強度が均一になるので、より精密にハイピクセル現象を修理することができるという効果がある。
また、零点調整器を備えることで、フェムト秒レーザービームが焦点されるハイピクセル現象発生位置を正確にモニタすることができるという効果がある。
【発明を実施するための最良の形態】
【００１２】
次に、本発明に係る表示装置のピクセル修理装置を実施するための最良の形態の具体例を図面を参照しながら説明する。
【００１３】
図１は、本発明の一実施形態による表示装置のピクセル修理装置を示す構成図である。
本発明の一実施形態による表示装置のピクセル修理装置は、図１に示すように、表示パネルアセンブリ１０のハイピクセル現象発生ピクセル（以下、ハイピクセルと呼称す。）（図４の“２１”参照）に向かってフェムト秒レーザービーム１０１を照射するためのレーザーユニット１００を含み、このようなレーザーユニット１００は、レーザー発生器１１０、均質器１２０、及び集束器１６０を含む。
【００１４】
レーザー発生器１１０は、フェムト秒レーザービーム１０１を生成し、発振させる。このようなフェムト秒（ｆｅｍｔｏｓｅｃｏｎｄ）レーザービーム１０１の波長は７８０ｎｍ〜１５５０ｎｍ帯である。
特に、このような波長帯を有するフェムト秒レーザービーム１０１を用いれば、フェムト秒レーザービーム１０１は表示パネルアセンブリ１０に付着された偏光板１２に吸収されず、カラーフィルタ表示パネル１１を透過してレッドピクセル（図４の“２２”参照）（ｒｅｄ  ｐｉｘｅｌ）のレッドカラーフィルタ２３０Ｒ及びブルーピクセル（図４の“２３”参照）（ｂｌｕｅ  ｐｉｘｅｌ）のブルーカラーフィルタ２３０Ｂだけでなく、グリーンピクセル（図４の“２１”参照）（ｇｒｅｅｎ  ｐｉｘｅｌ）のグリーンカラーフィルタ２３０Ｇに照射させることができる。したがって、フェムト秒レーザービーム１０１が照射されたカラーフィルタ２３０Ｒ、２３０Ｂ、２３０Ｇは変性して透過特性が変わるようになるので、外部の光を吸収する。
【００１５】
つまり、ハイピクセル（図４の“２１”参照）がどのような色のピクセルであっても光が通過できないようにして、黒色に作ることができる。参考として、３５５ｎｍの波長を有するレーザービームは、偏光板１２に吸収されてしまってそれ以上の進行ができなくなり、５３２ｎｍの波長を有するレーザービームは、偏光板１２及びカラーフィルタ表示パネル１１だけでなく、ハイピクセル現象が発生する場合、他のピクセルより視認性が最も大きいグリーンピクセルも通過してしまってグリーンピクセルを修理できない恐れがあり得る。ここで、修理とは、ハイピクセルを通じて光が透過できないように、ハイピクセルのカラーフィルタを変性させ、ハイピクセルを黒色に作ることを意味する。
【００１６】
また、このようなフェムト秒レーザービーム１０１は、パルス放射時間が１ピコ秒（ｐｉｃｏｓｅｃｏｎｄ）以下の１０−１３から１０−１５ｓ帯である。特に、パルス放射時間がこのように短いということは、ナノ秒以上のレーザービームよりフェムト秒レーザービーム１０１の強度が強いということを意味し、また、フェムト秒レーザービーム１０１の中心部（図３の“Ｃ”参照）へ行くほど次第に強度が高くなることを意味する。
【００１７】
さらに、フェムト秒レーザービーム１０１の強度が中心部（図３の“Ｃ”参照）に集中しているということは、精密加工が可能であるということを意味する。つまり、フェムト秒レーザービーム１０１は、表示パネルアセンブリ１０のピクセル２０のように非常に小さい大きさのピクセル２０を修理する場合、周辺ピクセルに影響を与えずに、該当ピクセルのみを正確に修理することができる性質を有している。
【００１８】
しかし、このようなフェムト秒レーザービーム１０１の性質のみを有しているだけではより精密なピクセルの修理に不足した点があり得る。なぜなら、フェムト秒レーザービーム１０１の周辺部（図３の“Ｅ”参照）はナノ秒（ｎａｎｏｓｅｃｏｎｄ）またはピコ秒レーザービームの強度より強いが、相対的にフェムト秒レーザービーム１０１の最中心部より弱いためである。したがって、このようなフェムト秒レーザービーム１０１の強度を均一にするための新たな装置が必要である。
【００１９】
以下、図２及び図３を参照して、このような新たな装置である均質器１２０（ｂｅａｍｈｏｍｏｇｅｎｉｚｅｒ）について説明する。
図２は本発明の一実施形態による表示装置のピクセル修理装置における均質器を示す断面図であり、図３は図２の均質器によって強度が変化する状態を示すグラフである。
【００２０】
均質器１２０は、レーザー発生器１１０と表示パネルアセンブリ１０との間に位置し、フェムト秒レーザービーム１０１の強度を均一にする役割を果たす。一例として、均質器１２０は第１非球面レンズ１２１と第２非球面レンズ１２２とを含むことができる。第１非球面レンズ１２１は、レーザー発生器１１０から発生（発振）したフェムト秒レーザービーム１０１の複数のビームレイ（ｂｅａｍ  ｒａｙ）１０１ａを互いに一定の間隔で密集させる。第２非球面レンズ１２２は、第１非球面レンズ１２１を通過した複数のビームレイ１０１ａが互いに一定の間隔で密集した地点に備えられ、複数のビームレイ１０１ａを一定の間隔で引続き透過させる。
【００２１】
再び図１を参照すると、集束器１６０は、均質器１２０と表示パネルアセンブリ１０との間に位置し、強度が均一になったフェムト秒レーザービーム１０１を集束させてその焦点（図４の“ＢＦ”参照）を表示パネルアセンブリ１０のハイピクセル（図４の“２１”参照）に形成させる役割を果たす。一例として、このような集束器１６０は、フェムト秒レーザービーム１０１を通過させる第１鏡筒１６１と、第１鏡筒１６１に内蔵される少なくとも一つの第１レンズ１６２とを含むことができる。
【００２２】
また、上述した表示パネルアセンブリ１０は、図１に示すように、第１表示パネルＰ１、第２表示パネルＰ２、並びに第１及び第２表示パネルＰ１、Ｐ２の間に備えられる液晶層Ｌを含むことができ、第１表示パネルＰ１はその外面に偏光板１２が付着され、その内面に複数のピクセル２０が配列されたカラーフィルタ表示パネル１１を含むことができる。
【００２３】
集束器１６０は、フェムト秒レーザービーム１０１の焦点ＢＦレベルをカラーフィルタ表示パネル１１のうちの複数のピクセル２０に位置するように設計され得る。一方、他の例として、表示パネルアセンブリ１０は偏光板１２が付着されない状態であって、その間に液晶層が備えられる第１表示パネル（薄膜トランジスタ表示パネル）及びカラーフィルタ表示パネルからなることができる。さらに、他の例として、表示パネルアセンブリ１０は、偏光板１２、第１表示パネルＰ２、及び液晶層Ｌが含まれない状態であって、その内面に複数のピクセル２０が配列されたカラーフィルタ表示パネル１１その自体であり得る。
【００２４】
また、本発明の一実施形態による表示装置のピクセル修理装置は、図１に示すように、均質器１２０と集束器１６０との間に位置し、強度が均一になったフェムト秒レーザービーム１０１の大きさを調節する大きさ調節器１４０をさらに含むことができる。一例として、このような大きさ調節器１４０は、フェムト秒レーザービーム１０１を通過させるスロット１４１が形成された固定部１４２、及びスロット１４１の大きさを可変させる可変部１４３を含むことができる。
【００２５】
また、本発明の一実施形態による表示装置のピクセル修理装置は、図１に示すように、大きさ調節器１４０と集束器１６０との間に位置し、大きさが調節されたフェムト秒レーザービーム１０１を設定距離の間その大きさを維持させる維持器１５０をさらに含むことができる。一例として、このような維持器１５０は、フェムト秒レーザービーム１０１を通過させる第２鏡筒１５１と、第２鏡筒１５１に内蔵される少なくとも一つの第２レンズ１５２とを含むことができる。
【００２６】
具体的には、レーザーユニット１００を配置するに当たって、大きさ調節器１４０と集束器１６０との間の間隔が大きい場合、上述した維持器１５０の必要性が認識され得る。つまり、大きさ調節器１４０と集束器１６０との間の間隔が大きくなれば、この間隔でビームの拡散現象が発生することがあるが、この間隔に維持器１５０を位置させるようになればこのようなビームの拡散現象を未然に防止することができる。また、上述した設定距離は鏡筒１５１の長さに相当する。
【００２７】
また、本発明の一実施形態による表示装置のピクセル修理装置は、図１に示すように、均質器１２０と大きさ調節器１４０との間に位置し、フェムト秒レーザービーム１０１を遮断するかまたは通過させるシャッター１３０（ｓｈｕｔｔｅｒ）をさらに含むことができる。もちろん、レーザー発生器１１０をオン／オフ（ｏｎ／ｏｆｆ）する形式とすることも可能であるが、レーザー発生器１１０をオン（ｏｎ）させるためには予熱過程などによって時間が長くかかることがあるので、別途のシャッター１３０を使用することが好ましい。
【００２８】
また、本発明の一実施形態による表示装置のピクセル修理装置は、図１に示すように、表示パネルアセンブリ１０のハイピクセル（図４の“２１”参照）を観察するモニタリングユニット３００をさらに含むことができる。
このような、モニタリングユニット３００は、ミラー部３１０（ｍｉｒｒｏｒ  ｐａｒｔ）、撮影機３２０、及び零点調整器３３０を含むことができる。
ミラー部３１０は、均質器１２０と集束器１６０との間に位置する。これに対する具体的な説明は後述する。
【００２９】
撮影機３２０は、ミラー部３１０を通じて表示パネルアセンブリ１０のハイピクセル（図４の“２１”参照）のイメージを撮影する。一例として、このような撮影機３２０はＣＣＤ（ｃｈａｒｇｅ  ｃｏｕｐｌｅｄ  ｄｅｖｉｃｅ）カメラであり得、自体光源を有することができ、また焦点調節機能を有することもできる。しかし、撮影機３２０自体の焦点調節機能は限界があり得るので、別途の零点調整器３３０が必要である。さらに具体的には、ピクセル２０のような非常に小さい大きさに焦点を合せるためには、零点調整器３３０の必要性が非常に大きいと言える。以下、図４を参照して零点調整器３３０を説明する。
【００３０】
図４は本発明が一実施形態による表示装置のピクセル修理装置において、零点調整器によって撮影機の焦点が変更される状態を示す図１の“Ａ”部分の拡大図である。
零点調整器３３０は、フェムト秒レーザービーム１０１の焦点ＢＦにハイピクセル２１のイメージを一致させるために、撮影機３２０の焦点ＩＦを微細調節する役割を果たす。
一例として、このような零点調整器３３０は、光３０１が通過できる第３鏡筒３３１と、第３鏡筒３３１内にスライド可能に備えられる少なくとも一つの第３レンズ３３２と、第３レンズ３３２を上下移動させるレバー３３３とを含むことができる（図１参照）。
【００３１】
さらに、撮影機３２０に光源が備えられていない場合には、上述したモニタリングユニット３００はミラー部３１０に光３０１を照射する光源３４０をさらに含むことができる。
この場合、上述したミラー部３１０は、均質器１２０と集束器１６０との間に位置する第１半反射ミラー３１１、及び均質器１２０と第１半反射ミラー３１１との間に位置する第２半反射ミラー３１２を含むことができる。したがって、光源３４０は、第１半反射ミラー３１１を通じて表示パネルアセンブリ１０に光３０１を照射するようになり、撮影機３２０は、表示パネルアセンブリ１０から反射された光３０１を第２半反射ミラー３１２を通じて伝達され受けるようになる。
【００３２】
また、撮影機３２０の焦点調節機能を補助するために、上述したモニタリングユニット３００は別途の自動フォーカシングセンサ３５０をさらに含むことができる。一例として、このような自動フォーカシングセンサ３５０は第２半反射ミラー３１２と撮影機３２０との間に位置し、撮影機３２０と電気的に接続され得る。したがって、自動フォーカシングセンサ３５０は、ハイピクセル２１の位置を予め検出して、撮影機３２０の焦点ＩＦが大体ハイピクセル２１の近くに予め位置するように撮影機３２０にその検出値を伝達する。
【００３３】
以下、図１及び図５を参照して、本発明の一実施形態による表示装置のピクセル修理装置の動作について説明する。
先に、図１に示すように、レーザー発生器１１０からフェムト秒レーザービーム１０１が発生（発振）する。このようなフェムト秒レーザービーム１０１は均質器１２０を通過すれば、その強度が均一になる（図２及び図３参照）。次に、フェムト秒レーザービーム１０１はシャッター１３０を経て大きさ調節器１４０を通過しながらその大きさが調節される。次に、フェムト秒レーザービーム１０１は維持器１５０を通過しながらその大きさが維持され、集束器１６０を通過しながらその焦点ＢＦが表示パネルアセンブリ１０のハイピクセル２１に形成される（図４参照）。
【００３４】
一方、光源３４０から照射された光３０１は、第１半反射ミラー３１１を経て表示パネルアセンブリ１０に入射した後、再び反射されて第２半反射ミラー３１２を経て撮影機３２０に入射する。この時、光３０１が撮影機３２０に入射する間に、自動フォーカシングセンサ３５０は表示パネルアセンブリ１０のハイピクセル（図４の“２１”参照）の位置を検出し、検出値を撮影機３２０に伝送する。撮影機３２０は検出値によって大体の焦点の調節を行う。この後、零点調整器３３０を利用してフェムト秒レーザービーム１０１の焦点ＢＦにハイピクセル２１のイメージを一致させるために、撮影機３２０の微細調節を行う。（図４参照、図４では撮影機３２０の焦点ＩＦを“Ｈ”ほど下ろしてフェムト秒レーザービーム１０１の焦点ＢＦと一致させれば良い）。
【００３５】
このような動作を通じてフェムト秒レーザービーム１０１の照射を受けたハイピクセル２１は、図５に示すように、黒色に変わるようになってハイピクセル２１からそれ以上の光が漏れないようになる。結局、ハイピクセル２１の修理は完了する。
【００３６】
一方、図面符号“１２５”はフェムト秒レーザービームの進行経路を変える第３全反射ミラーであり、図面符号“３６０”は光の進行経路を変える第４全反射ミラーである。
【００３７】
一方、本発明の他の実施形態による表示装置のピクセル修理装置は、図１を参照すれば、表示パネルアセンブリ１０のハイピクセル２１に向かってフェムト秒レーザービーム１０１を照射するためのレーザーユニット１００、及びハイピクセル２１を観察するモニタリングユニット３００を共に含む。そして、モニタリングユニット３００は、レーザーミラー部３１０、撮影機３２０、及び零点調整器３３０を含む。これらに対する具体的な説明は、本発明の一実施形態で説明されているので省略する。
【図面の簡単な説明】
【００３８】
【図１】本発明の一実施形態による表示装置のピクセル修理装置を示す構成図である。
【図２】本発明の一実施形態による表示装置のピクセル修理装置における均質器を示す断面図である。
【図３】図２の均質器によってフェムト秒レーザービームの強度が変化する状態を示すグラフである。
【図４】本発明の一実施形態による表示装置のピクセル修理装置において、零点調整器によって撮影機の焦点が変更される状態を示す図１の“Ａ”部分の拡大図である。
【図５】本発明の一実施形態による表示装置のピクセル修理装置によってハイピクセルが修理された状態を示す図面である。
【符号の説明】
【００３９】
１０      表示パネルアセンブリ
１２      偏光板
２０      ピクセル
１００      レーザーユニット
１１０      レーザー発生器
１２０      均質器
１３０      シャッター
１４０      大きさ調節器
１５０      維持器
１６０      集束器
３００      モニタリングユニット
３１０      ミラー部
３１１      第１半反射ミラー
３１２      第２半反射ミラー
３２０      撮影機
３３０      零点調整器
３４０      光源
３５０      自動フォーカシングセンサ
【図１】
2007241274.tif 000003
【図２】
2007241274.tif 000004
【図３】
2007241274.tif 000005
【図４】
2007241274.tif 000006
【図５】
2007241274.tif 000007